(57)【特許請求の範囲】
【請求項１】
サムターンが設けられた扉に取り付けられる開錠防止具であって、
上面が開口しており、前記サムターンを覆うように前記扉に固定される箱体を備え、
前記箱体の底部には、前記サムターンの摘み部と嵌合する穴が設けられており、
前記箱体は、前記上面における当該箱体の縁部が前記扉に固着されることにより、当該扉に固定され、
前記箱体の前記縁部は、当該箱体の側方外側に延出しており、
前記箱体の前記底部から前記上面までの距離は、可変であり、
前記底部は、
当該底部の上面を構成し、前記箱体の側面部に対して可動な上板と、
当該底部の下面を構成し、前記側面部に対して不動な下板と、を有することを特徴とする開錠防止具。
【請求項２】
請求項１に記載の開錠防止具において、
当該開錠防止具は、前記扉に対して着脱可能である開錠防止具。
【請求項３】
請求項１又は２に記載の開錠防止具において、
前記箱体の前記縁部には、前記扉に対して粘着力を有する粘着手段が設けられている開錠防止具。
【請求項４】
請求項３に記載の開錠防止具において、
前記粘着手段は、粘着テープ又は粘着ゲルである開錠防止具。
【請求項５】
請求項１又は２に記載の開錠防止具において、
前記箱体の前記縁部には、磁石が設けられている開錠防止具。
【請求項６】
請求項１乃至５の何れかに記載の開錠防止具において、
前記箱体の前記底部の厚みは、当該箱体の側面部の厚みよりも大きい開錠防止具。
【請求項７】
請求項１乃至６の何れかに記載の開錠防止具において、
前記上板と前記下板との間には、当該上板が当該下板に近づくように変位したときに、当該上板を押し上げて元の位置に戻そうとする復元手段が設けられている開錠防止具。
【請求項８】
請求項７に記載の開錠防止具において、
前記復元手段は、弾性体である開錠防止具。
【請求項９】
請求項８に記載の開錠防止具において、
前記弾性体は、バネ又はゴムである開錠防止具。
【請求項１０】
請求項１乃至９の何れかに記載の開錠防止具において、
前記底部の少なくとも一部は、透明である開錠防止具。
【請求項１１】
請求項１乃至１０の何れかに記載の開錠防止具において、
前記穴は、前記底部を貫通している開錠防止具。
【請求項１２】
請求項１乃至１１の何れかに記載の開錠防止具において、
前記穴は、平面視で、第１の方向を長手方向とする第１の長方形部、及び前記第１の方向に直交する第２の方向を長手方向とする第２の長方形部からなる十字型をしている開錠防止具。
【請求項１３】
請求項１２に記載の開錠防止具において、
前記第１及び第２の長方形部は、相異なる長さを有する開錠防止具。
【請求項１４】
請求項１２又は１３に記載の開錠防止具において、
前記第１及び第２の長方形部は、相異なる幅を有する開錠防止具。
【請求項１５】
請求項１乃至１４の何れかに記載の開錠防止具において、
前記底部には、複数の前記穴が設けられている開錠防止具。
【請求項１６】
請求項１５に記載の開錠防止具において、
前記複数の穴のうち少なくとも２つは、相異なる長さを有する開錠防止具。
【請求項１７】
請求項１５又は１６に記載の開錠防止具において、
前記複数の穴のうち少なくとも２つは、相異なる幅を有する開錠防止具。
【請求項１８】
請求項１乃至１７の何れかに記載の開錠防止具において、
前記穴の内周面に沿って隙間なく配置されるとともに、前記サムターンの前記摘み部と嵌合する環状の補助部材を備える開錠防止具。
【発明の詳細な説明】
【技術分野】
【０００１】
本発明は、扉の錠前が開くのを防止する開錠防止具に関する。
【背景技術】
【０００２】
従来の開錠防止具としては、例えば特許文献１に記載されたものがある。同文献に記載された開錠防止具は、サムターンが設けられた扉に固定される箱体と、箱体から上方に突出する棒状のストッパーとを備えている。箱体は、回転しようとするサムターンに対して回転方向前方からストッパーの先端が当接するように、扉の所定の位置に固定される。
【先行技術文献】
【特許文献】
【０００３】
【特許文献１】特開２００５−２３７７０号公報
【発明の概要】
【発明が解決しようとする課題】
【０００４】
上述の開錠防止具によれば、ストッパーによってサムターンの回転が阻止されるため、錠前が不正に開けられるのを防止することができる。しかしながら、この開錠防止具には、扉への取付時の位置合わせが面倒であるという問題がある。すなわち、サムターンの回転を阻止できるように、サムターンに対するストッパーの位置を微調整する必要がある。
【０００５】
本発明は、上記課題に鑑みてなされたものであり、扉への取付時の位置合わせが容易な開錠防止具を提供することを目的とする。
【課題を解決するための手段】
【０００６】
本発明による開錠防止具は、サムターンが設けられた扉に取り付けられる開錠防止具であって、上面が開口しており、上記サムターンを覆うように上記扉に固定される箱体を備え、上記箱体の底部には、上記サムターンの摘み部と嵌合する穴が設けられていることを特徴とする。
【０００７】
この開錠防止具においては、箱体の底部に穴が設けられている。この穴にサムターンの摘み部が嵌合することにより、当該サムターンの回転が阻止されるため、錠前が開くのを防止することができる。しかも、底部の穴にサムターンの摘み部が嵌まるように当該サムターンを箱体で覆うだけで、開錠防止具を正しい位置に取り付けることができる。このため、扉への取付時の位置合わせを容易に行うことができる。
【発明の効果】
【０００８】
本発明によれば、扉への取付時の位置合わせが容易な開錠防止具が実現される。
【図面の簡単な説明】
【０００９】
【図１】本発明による開錠防止具の第１実施形態を示す斜視図である。
【図２】図１の開錠防止具を示す平面図である。
【図３】図２のIII−III線に沿った断面図である。
【図４】図２のIV−IV線に沿った断面図である。
【図５】開錠防止具１が取り付けられる扉９０を示す正面図である。
【図６】開錠防止具１が取り付けられた状態の扉９０を示す正面図である。
【図７】扉９０に取り付けられた開錠防止具１を示す拡大図である。
【図８】図７のVIII−VIII線に沿った端面図である。
【図９】本発明による開錠防止具の第２実施形態を示す断面図である。
【図１０】本発明による開錠防止具の第２実施形態を示す断面図である。
【図１１】上板１２ａを示す平面図である。
【図１２】下板１２ｂを示す平面図である。
【図１３】箱体１０において上板１２ａが押し下げられた状態を示す断面図である。
【図１４】箱体１０において上板１２ａが押し下げられた状態を示す断面図である。
【図１５】扉９０に取り付けられた開錠防止具２を示す端面図である。
【図１６】縁部１６の変形例を説明するための断面図である。
【図１７】穴２０の一変形例を説明するための断面図である。
【図１８】穴２０の他の変形例を説明するための平面図である。
【図１９】穴２０の他の変形例を説明するための平面図である。
【図２０】補助部材４０を示す斜視図である。
【図２１】補助部材４０を示す平面図である。
【図２２】箱体１０において穴２０内に補助部材４０が配置された状態を示す平面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による開錠防止具の第１実施形態を示す斜視図である。図２は、図１の開錠防止具を示す平面図である。また、図３及び図４は、それぞれ、図２のIII−III線及びIV−IV線に沿った断面図である。開錠防止具１は、扉の錠前が開くのを防止する開錠防止具であって、サムターンが設けられた扉に取り付けられる。
【００１２】
開錠防止具１は、箱体１０を備えている。箱体１０は、底部１２及び側面部１４を有している。本実施形態において底部１２は、平面視で矩形をしている。これに伴い、側面部１４は、底部１２の４辺のそれぞれから立設する４枚の平板からなっている。底部１２の厚みは、側面部１４の厚みよりも大きい。底部１２の厚みは、例えば、３〜１５ｍｍ程度である。底部１２の少なくとも一部は、透明であることが好ましい。箱体１０の上面は、開口している。当該開口部の各辺の長さは、例えば、４〜８ｃｍ程度である。
【００１３】
箱体１０は、後述するとおり、サムターンを覆うように扉に固定される。具体的には、箱体１０は、上面（開口面）における当該箱体１０の縁部１６が扉に固着されることにより、扉に固定される。本実施形態において縁部１６には、扉に対して粘着力を有する粘着手段（図示せず）が設けられている。かかる粘着手段を介して縁部１６を扉板に貼着することができる。粘着手段としては、例えば、粘着テープ又は粘着ゲルを用いることができる。縁部１６は、箱体１０の側方外側に延出している。すなわち、縁部１６は、側面部１４の上端から箱体１０の外側に向かって張り出すように設けられている。
【００１４】
箱体１０の底部１２には、サムターンの摘み部と嵌合する穴２０が設けられている。穴２０は、サムターンの摘み部と隙間なく嵌合するものであってもよいし、隙間を空けて嵌合するものであってもよい。本実施形態において穴２０は、平面視で、細長い長方形状をしている（図２参照）。穴２０の長辺の長さは、例えば、３〜４ｃｍ程度である。また、穴２０の短辺の長さは、例えば、０．５〜１．５ｃｍ程度である。穴２０は、底部１２の中央に位置している。この穴２０は、底部１２を貫通している。以上の構成の箱体１０は、例えば、プラスチックを一体成形することにより得ることができる。箱体１０の材料としては、プラスチックの他にも、例えば、木、金属、段ボール、厚紙等を用いることができる。
【００１５】
開錠防止具１は、扉に対して着脱可能であることが好ましい。ここで、着脱可能とは、扉や開錠防止具１を汚損することなく、扉に対する開錠防止具１の取付け及び取外しを容易に行えるということである。例えばネジを用いて開錠防止具１を扉に取り付けるような場合、ネジ穴により扉が損傷を受けるため、開錠防止具１が着脱可能であるとはいえない。
【００１６】
続いて、図５〜図８を参照しつつ、開錠防止具１の使用方法の一例を説明する。図５は、開錠防止具１が取り付けられる扉９０を示している。同図は、扉９０の内側（室内側）の面を示している。扉９０には、サムターン９２が設けられている。開錠防止具１を取り付けるには、図６に示すように、サムターン９２の全体を覆うようにして箱体１０を扉に固定すればよい。このとき、図７及び図８に示すように、穴２０にサムターン９２の摘み部９３が嵌まるようにする。図７は、扉９０に取り付けられた開錠防止具１を示す拡大図である。また、図８は、図７のVIII−VIII線に沿った端面図である。このように開錠防止具１が取り付けられた扉９０においては、穴２０によって摘み部９３の回動が規制される。このため、サムターン９２の回転が阻止され、錠前を開けることができなくなる。
【００１７】
開錠防止具１の効果を説明する。開錠防止具１においては、箱体１０の底部１２に穴２０が設けられている。穴２０にサムターンの摘み部が嵌合することにより、当該サムターンの回転が阻止されるため、錠前が開くのを防止することができる。かかる開錠防止具１は、扉の外側からの不正開錠に対する防御策として役立つ。しかも、底部１２の穴２０にサムターンの摘み部が嵌まるように当該サムターンを箱体１０で覆うだけで、開錠防止具１を正しい位置に取り付けることができる。このため、扉への取付時の位置合わせを容易に行うことができる。したがって、扉への取付時の位置合わせが容易な開錠防止具１が実現されている。
【００１８】
また、開錠防止具１は、箱体１０でサムターンを覆うようにして扉に取り付けられる。これにより、扉における開錠防止具１が取り付けられる範囲をサムターン近傍の比較的狭い領域に限定することができる。このように開錠防止具１の取付範囲をサムターン近傍の狭い領域に限定できれば、開錠防止具１を取り付ける際、扉に設けられた他の構造物（ドアノブ、ドアチェーン等）が邪魔になりにくいという利点がある。
【００１９】
開錠防止具１が扉に対して着脱可能である場合、扉を汚損する心配がないため、開錠防止具１は、賃貸住宅や外出先においても気軽に使用することができる。例えば、旅行時の宿泊先において、扉のセキュリティに不安がある場合であっても、扉の内側に開錠防止具１を取り付けておけば、扉の外側から開錠されてしまう事態を避けることができる。
【００２０】
箱体１０は、縁部１６が扉に固着されることにより、扉に固定される。このように箱体１０の一部分（縁部１６）を扉への固定面とすることにより、固定用のアタッチメントを用いることなく箱体１０を扉に固定することができる。これにより、簡易な構成の開錠防止具１を実現することができる。実際、本実施形態において開錠防止具１は、箱体１０のみからなっている。
【００２１】
縁部１６には、粘着手段が設けられている。このように粘着手段を予め設けておくことにより、箱体１０を扉に固着するための手段を別途用意しなくても、箱体１０を扉に固着することができる。
【００２２】
縁部１６は、箱体１０の側方外側に延出している。これにより、縁部１６の面積を大きくすることができる。このように扉への固定面となる縁部１６の面積を大きくすることにより、箱体１０を扉に対して強固に固定しやすくなる。
【００２３】
底部１２の厚みは、側面部１４の厚みよりも大きい。このように底部１２の厚みを大きくすることにより、深い穴２０を形成しやすくなる。穴２０を深くすれば、穴２０の内周面の面積も大きくなる。これにより、サムターンの摘み部に対する穴２０の接触面積が大きくなり、サムターンの回転を一層確実に阻止できるようになる。
【００２４】
穴２０は、底部１２を貫通している。このため、開錠防止具１を取り付ける際、穴２０を通じて、箱体１０の外からでも箱体１０で覆われたサムターンを視認することができる。これにより、穴２０にサムターンの摘み部を合わせやすくなるため、開錠防止具１の取付時の位置合わせが一層容易になる。
【００２５】
同様に、底部１２の少なくとも一部が透明である場合も、透明部分を通じて箱体１０の外から箱体１０で覆われたサムターンを視認することができるため、開錠防止具１の取付時の位置合わせが一層容易になる。
（第２実施形態）
【００２６】
図９及び図１０は、本発明による開錠防止具の第２実施形態を示す断面図である。図９及び図１０は、それぞれ、図３及び図４と同様の断面を示している。開錠防止具２は、扉の錠前が開くのを防止する開錠防止具であって、サムターンが設けられた扉に取り付けられる。
【００２７】
開錠防止具２は、箱体１０を備えている。箱体１０は、底部１２及び側面部１４を有している。本実施形態において底部１２は、上板１２ａ及び下板１２ｂを有している。上板１２ａ及び下板１２ｂは、それぞれ、底部１２の上面及び下面を構成している。上板１２ａは、箱体１０の側面部１４に対して可動である。具体的には、上板１２ａは、側面部１４に沿って箱体１０内を上下動できるように構成されている。このため、箱体１０の底部１２から上面までの距離ｄ１（底部１２の上面から箱体１０の上面までの距離）は、可変である。
【００２８】
他方、下板１２ｂは、側面部１４に対して不動である。すなわち、下板１２ｂは、側面部１４の下端に固定されている。それゆえ、本実施形態においては、距離ｄ１が変わると、底部１２の厚み（底部１２の上面から下面までの距離）も変わることになる。つまり、距離ｄ１が大きくなる（上板１２ａが下板１２ｂに近づくように変位する）と、底部１２の厚みは小さくなる。反対に、距離ｄ１が小さくなる（上板１２ａが下板１２ｂから遠ざかるように変位する）と、底部１２の厚みは大きくなる。
【００２９】
図１１は、上板１２ａを示す平面図である。また、図１２は、下板１２ｂを示す平面図である。上板１２ａ及び下板１２ｂには、それぞれ、開口部２０ａ及び開口部２０ｂが形成されている。これらの開口部２０ａ及び開口部２０ｂは、平面視で互いに重なる位置に設けられており、穴２０を構成している。
【００３０】
上板１２ａには、開口部２０ａの周囲に沿って環状部材１３ａが設けられている。環状部材１３ａは、図９及び図１０からわかるように、底部１２の上面から鉛直方向下向きに延びている。また、下板１２ｂには、開口部２０ｂの周囲に沿って環状部材１３ｂが設けられている。環状部材１３ｂは、図９及び図１０からわかるように、底部１２の下面から鉛直方向上向きに延びている。環状部材１３ｂの内周の寸法は、環状部材１３ａの外周の寸法に略等しい。これにより、環状部材１３ａは、環状部材１３ｂの内側を摺動することが可能である。これらの環状部材１３ａ，１３ｂは、穴２０の内周面を構成している。
【００３１】
上板１２ａと下板１２ｂとの間には、復元手段３０が設けられている。復元手段３０は、上板１２ａが下板１２ｂに近づくように変位したときに、上板１２ａを押し上げて元の位置に戻そうとするものである。復元手段３０としては、例えば、バネ又はゴム等の弾性体を用いることができる。図９及び図１０においては、復元手段３０としてバネを用いた場合を示している。
【００３２】
かかる構成の箱体１０においては、底部１２の上板１２ａに対して下向きの力を加えて当該上板１２ａを押し下げることにより、図１３及び図１４に示すように、距離ｄ１を大きくすることができる。そして、上板１２ａに対して下向きの力を加えるのを止めると、復元手段３０の復元力により上板１２ａが押し上げられて元の位置に戻ることになる。開錠防止具２のその他の構成は、開錠防止具１と同様である。
【００３３】
開錠防止具２の効果を説明する。箱体１０の底部１２から上面までの距離ｄ１は、可変である。このため、図１５に示すように、サムターン９２の基底部の厚みｔ１（扉板から摘み部９３までの距離）に合わせて距離ｄ１を調整することにより、基底部の厚みが異なる様々なサムターンに対して開錠防止具２を適合させることができる。同図は、図８と同様の端面を示している。
【００３４】
底部１２は、側面部１４に対して可動な上板１２ａと、側面部１４に対して不動な下板１２ｂとを有している。このため、底部１２の一部（下板１２ｂ）は、側面部１４に対して常に固定された状態にある。これにより、箱体１０の機械的強度を維持しつつ、距離ｄ１が可変な箱体１０を実現することができる。ただし、底部１２の全体が側面部１４に対して可動であってもよい。
【００３５】
上板１２ａと下板１２ｂとの間には、復元手段３０が設けられている。この場合、図１５に示すように、復元手段３０の復元力により上板１２ａがサムターン９２の基底部に押し当てられた状態となる。このため、開錠防止具２が扉に取り付けられた後に、上板１２ａが動いて距離ｄ１が変わってしまうのを防ぐことができる。
【００３６】
上板１２ａ及び下板１２ｂには、それぞれ環状部材１３ａ及び環状部材１３ｂが設けられている。この場合、環状部材１３ａ，１３ｂが設けられていない場合に比して、サムターンの摘み部に対する穴２０の接触面積が大きくなるため、サムターンの回転を一層確実に阻止できるようになる。ただし、環状部材１３ａ，１３ｂを設けることは、必須でない。開錠防止具２のその他の効果は、開錠防止具１と同様である。
【００３７】
本発明は、上記実施形態に限定されるものではなく、様々な変形が可能である。上記実施形態においては、箱体１０の縁部１６に粘着手段が設けられた場合を例示した。しかし、縁部１６には、粘着手段に代えて、あるいは粘着手段と共に、磁石が設けられていてもよい。その場合、当該磁石の磁力により、縁部１６をスチール製の扉板に固着することができる。
【００３８】
上記実施形態においては、縁部１６が箱体１０の側方外側に延出している場合を例示した。しかし、縁部１６を箱体１０の側方外側に延出させることは、必須でない。縁部１６は、図１６に示すように、側面部１４の上端のみから構成されていてもよい。
【００３９】
上記実施形態においては、底部１２の厚みが側面部１４の厚みよりも大きい場合を例示した。しかし、底部１２の厚みは、側面部１４の厚みより小さくてもよいし、側面部１４の厚みに等しくてもよい。
【００４０】
上記実施形態においては、底部１２が平面視で矩形をしている場合を例示した。しかし、底部１２の平面形状は、任意である。例えば、底部１２の平面形状は、矩形以外の多角形、円形、楕円形等であってもよい。
【００４１】
上記実施形態においては、穴２０が底部１２を貫通している場合を例示した。しかし、穴２０は、図１７に示すように、底部１２を貫通していなくてもよい。同図において穴２０は、底部１２の下面に達していない。
【００４２】
上記実施形態においては、穴２０の平面形状が長方形である場合を例示した。しかし、サムターンの回動を規制しうる限り、穴２０の平面形状は、任意である。例えば、穴２０は、図１８に示すように、平面視で十字型をしていてもよい。同図において穴２０は、長方形部２２ａ（第１の長方形部）及び長方形部２２ｂ（第２の長方形部）からなっている。長方形部２２ａは、第１の方向（同図の左右方向）を長手方向としている。他方、長方形部２２ｂは、第１の方向に直交する第２の方向（同図の上下方向）を長手方向としている。長方形部２２ａ及び長方形部２２ｂは、相異なる長さを有している。具体的には、長方形部２２ａの長さの方が、長方形部２２ｂの長さよりも大きい。また、長方形部２２ａ及び長方形部２２ｂは、相異なる幅を有している。具体的には、長方形部２２ａの幅の方が、長方形部２２ｂの幅よりも大きい。
【００４３】
かかる構成の場合、開錠防止具を取り付ける向きを選択しうるという利点がある。すなわち、長方形部２２ａの長手方向がサムターンの摘み部と平行になるように開錠防止具を取り付けることも、長方形部２２ｂの長手方向が摘み部と平行になるように開錠防止具を取り付けることも可能となる。これにより、開錠防止具の取付けの自由度が向上する。また、長方形部２２ａ及び長方形部２２ｂが相異なる長さを有していることにより、摘み部の長さが異なる様々なサムターンに対して開錠防止具を適合させることができる。同様に、長方形部２２ａ及び長方形部２２ｂが相異なる幅を有していることにより、摘み部の幅が異なる様々なサムターンに対して開錠防止具を適合させることができる。
【００４４】
上記実施形態においては、底部１２に穴２０が１つだけ設けられた場合を例示した。しかし、底部１２には、図１９に示すように、複数の穴２０が設けられていてもよい。その場合、複数の穴２０のうち少なくとも２つは、相異なる長さを有していてもよい。また、複数の穴２０のうち少なくとも２つは、相異なる幅を有していてもよい。図１９においては、３つの穴２０が設けられている。同図において真ん中に位置する穴２０の長さ及び幅は、一番上に位置する穴２０の長さ及び幅よりも大きい。また、一番下に位置する穴２０の長さ及び幅は、真ん中に位置する穴２０の長さ及び幅よりも大きい。
【００４５】
かかる構成の場合、開錠防止具を取り付ける位置を選択しうるという利点がある。すなわち、サムターンの摘み部が一番上の穴２０に嵌合するように開錠防止具を取り付けることも、真ん中の穴２０に嵌合するように開錠防止具を取り付けることも、一番下の穴２０に嵌合するように開錠防止具を取り付けることも可能となる。これにより、開錠防止具の取付けの自由度が向上する。また、複数の穴２０のうち少なくとも２つが相異なる長さを有している場合、摘み部の長さが異なる様々なサムターンに対して開錠防止具を適合させることができる。同様に、複数の穴２０のうち少なくとも２つが相異なる幅を有している場合、摘み部の幅が異なる様々なサムターンに対して開錠防止具を適合させることができる。
【００４６】
上記実施形態において開錠防止具は、箱体１０に加えて補助部材４０を備えていてもよい。補助部材４０は、図２０及び図２１に示すように、環状をしている。図２０及び図２１は、それぞれ、補助部材４０を示す斜視図及び平面図である。補助部材４０は、図２２に示すように、穴２０の内周面に沿って隙間なく配置されるとともに、サムターンの摘み部９３と嵌合する。このように穴２０内に補助部材４０が配置された状態で開錠防止具を扉に取り付けることにより、穴２０と摘み部９３との間に補助部材４０が介在することになる。かかる補助部材４０を用いることにより、穴２０と摘み部９３との間の隙間の大きさを調整することができる。このため、摘み部の大きさが異なる様々なサムターンに対して開錠防止具を適合させることができる。
【符号の説明】
【００４７】
１  開錠防止具
２  開錠防止具
１０  箱体
１２  底部
１２ａ  上板
１２ｂ  下板
１３ａ  環状部材
１３ｂ  環状部材
１４  側面部
１６  縁部
２０  穴
２０ａ  開口部
２０ｂ  開口部
２２ａ  長方形部（第１の長方形部）
２２ｂ  長方形部（第２の長方形部）
３０  復元手段
４０  補助部材
９０  扉
９２  サムターン
９３  摘み部
【図１】
0006370868.tif 000002
【図２】
0006370868.tif 000003
【図３】
0006370868.tif 000004
【図４】
0006370868.tif 000005
【図５】
0006370868.tif 000006
【図６】
0006370868.tif 000007
【図７】
0006370868.tif 000008
【図８】
0006370868.tif 000009
【図９】
0006370868.tif 000010
【図１０】
0006370868.tif 000011
【図１１】
0006370868.tif 000012
【図１２】
0006370868.tif 000013
【図１３】
0006370868.tif 000014
【図１４】
0006370868.tif 000015
【図１５】
0006370868.tif 000016
【図１６】
0006370868.tif 000017
【図１７】
0006370868.tif 000018
【図１８】
0006370868.tif 000019
【図１９】
0006370868.tif 000020
【図２０】
0006370868.tif 000021
【図２１】
0006370868.tif 000022
【図２２】
0006370868.tif 000023